(57)【要約】      （修正有）【課題】使用状況、状態によって最適な照明装置設置を可能とする照明装置を提供する。【解決手段】高輝度で拡散範囲が広い表面実装型発光ダイオード（ＳＭＤ型ＬＥＤ）３を光源とする照明装置において、該ＳＭＤ型ＬＥＤ３を１ないし複数列配置した長尺フレキシブル基板２裏面に天然ゴム又は合成ゴム又はポリマー樹脂にフェライトマグネット粉末を混ぜた柔軟性のあるマグネットテープ７あるいは固形マグネットの小片を間隔を置いて取り付けた構成とする。【選択図】図２
2012043756.tif 000002
【特許請求の範囲】
【請求項１】
表面実装型発光ダイオード（ＳＭＤ型ＬＥＤ）を光源とする照明装置において、前記ＳＭＤ型ＬＥＤを１ないし複数列配置した長尺フレキシブル基板裏面にマグネットテープを取り付けたことを特徴とした照明装置。
【請求項２】
表面実装型発光ダイオード（ＳＭＤ型ＬＥＤ）を光源とする照明装置において、前記ＳＭＤ型ＬＥＤを１ないし複数列配置した長尺フレキシブル基板裏面に固形マグネットを間隔をあけて取り付けたことを特徴とした照明装置。
【発明の詳細な説明】
【技術分野】
【０００１】
本発明は、半導体発光素子を利用した照明装置に関するものである。
【背景技術】
【０００２】
近年、省エネルギーの観点から、白熱電球や蛍光灯に替えて発光ダイオード（以下、「ＬＥＤ」と省略表記する。）を光源とした照明装置が使用されてきている。このような照明装置に用いられるＬＥＤは、高輝度で拡散範囲が広い表面実装型ＬＥＤ（以下、「ＳＭＤ型ＬＥＤ」と省略表記する。）が多い。
【０００３】
このような照明装置は、製造の容易さ、応用の広さから「非特許文献１」の如く、長尺の基板上に複数のＳＭＤ型ＬＥＤを配置し、蛍光灯と同様な照明装置としたり、基板をフレキシブルとし看板のバックライト、足元灯、室内装飾、イルミネーション、間接照明等に広く応用されてきている。
【０００４】
また、「非特許文献２」の如く、ＲＧＢ（赤、緑、青）の３原色のチップが１個のＳＭＤに実装されたＬＥＤを使用したものもあり、専用のコントローラを使用して調光することも可能である。
【０００５】
この様な照明装置においては、照明装置を設置するに当り、「特許文献１」のようにフレキシブル基板の特性を有効に活用するため基板の裏面に両面テープを接着し、このテープの粘着力によって壁面や天井に設置していた。
【０００６】
上記のような照明装置は、そのフレキシビリティ（柔軟性）を活用して、設置場所の形状や、位置にあまり拘束されないため、恒久的な固定照明よりイベント時の照明や自動車の装飾照明等、一時的な照明に活用される場合が多い。
【０００７】
しかし、一時的な照明に使用された後、次の使用に供する場合、両面テープを剥がす際に基板からテープが剥がれてしまったり、設置場所に両面テープの接着剤が残ってしまう等の事故や不具合が発生する場合がある。さらに、両面テープは何度か接着―剥離を繰り返しているとテープ自体の接着力が劣化してしまう。
【０００８】
また、湿気の多い設置場所では設置箇所に水蒸気が付いていたり水濡れがある場合はテープの接着力が効かずしっかり設置できない場合がある。
【０００９】
一般的に、ＬＥＤの輝度を上げるためにはＬＥＤに流す電流を増大してやれば良いのであるが、電流増大によりＬＥＤの発熱量も増大し、最終的にはＬＥＤは熱破壊してしまうため電流増大には限界すなわち輝度向上には熱的限界がある。
【００１０】
上記の熱問題を解決し適度を向上させるため、基板を熱伝導率の良い金属の放熱器の上に設置する手段が用いられるが、照明装置のフレキシビリティは失われてしまい応用分野が限られてしまう。
【先行技術文献】
【特許文献】
【００１１】
【特許文献１】特開２０１０−２１１２３号公報
【非特許文献】
【００１２】
【非特許文献１】http://www.neo-w.co.jp/LED_tape.html
【非特許文献２】http://www.xmas-deco-lights.com/shop/LEDTapeLight.html
【発明の概要】
【発明が解決しようとする課題】
【００１３】
前述のように、同一平面状に実装されたＳＭＤ型ＬＥＤの基板をフレキシブルとした照明装置において、基板裏面に両面テープを接着し、その接着力で照明装置を設置していたのがこれまでの構成であった。このような構成では照明装置の設置は大変容易であるが、照明装置を剥がして移動する場合に接着テープが剥がれないようにすること、また、設置場所に接着テープの接着剤のような設置痕が残らないようにすることが課題である。
【００１４】
さらに、該照明装置の輝度を向上させるため、照明装置設置時のフレキシビリティ（柔軟性）を保ちながらＬＥＤの温度上昇を抑える放熱対策を行うことが課題である。
【課題を解決するための手段】
【００１５】
上記のような各課題を解決するため、本発明に係る照明装置は、請求項１の如く、高輝度で拡散範囲が広い表面実装型ＬＥＤをフレキシブル基板に実装し、基板裏面に天然ゴム又は合成ゴム又はポリマー樹脂にフェライトマグネット粉末を混ぜた柔軟性のあるマグネットテープを接着する構成とする。
【００１６】
上記マグネットテープとしては、上記ゴム等にフェライトマグネット粉末を混ぜて圧延成形することにより、フェライトマグネット粉末の結晶配向を一方向に機械配向させた磁力の強い異方性フェライトマグネットテープを採用することが望ましい。また、フレキシブル基板とマグネットテープの接着には熱伝導性の良い接着剤を用いることが好適である。
【００１７】
上記説明においては、フレキシブル基板裏面にマグネットテープを接着した場合を挙げたが、柔軟性は無いが磁力の強力なネオジウム磁石のような固形マグネットの小片を間隔を置いて接着しても良い。このようにすれば、照明装置の設置柔軟性はマグネットテープより若干劣るが設置強さは強力となる。
【発明の効果】
【００１８】
以上、説明したように表面実装型ＬＥＤを実装したフレキシブル基板にマグネットテープを接着した本発明の照明装置によれば、設置箇所はスチール（鉄）のような金属磁性体部分に限られるが、マグネットテープを用いるため照明装置の柔軟性は失われず、設置には磁力を用いて磁気接着するため接着剤の剥がれや残渣が残るという不具合は生じない。また、接着―剥離の繰り返しや水濡れ箇所によって磁気接着の磁気力が減少したりすることは無い。
【００１９】
設置場所が木材やコンクリートのような磁性体以外の場所では、設置場所にスチールテープを張った後に本発明の照明装置を磁気接着することもできる。
【００２０】
一方、フレキシブル基板の裏に接着したマグネットテープは、前述のようにゴム等にフェライトマグネット粉末を混ぜたものであり、基板単体より熱容量が大きく、ＬＥＤが発生する熱を、基板〜マグネットテープ〜設置金属体と伝送放熱するためＬＥＤへの電流を増大、すなわちＬＥＤの輝度を向上させることができる。
【図面の簡単な説明】
【００２１】
【図１】本発明に係るＳＭＤ型ＬＥＤを用いた照明装置の一実施例における全体平面図を示す図である。
【図２】本発明に係るＳＭＤ型ＬＥＤを用いた照明装置の一実施例における全体側面図を示す図である。
【図３】本発明に係るＳＭＤ型ＬＥＤを用いた照明装置の一実施例における基板の断面を示す図である。
【図４】本発明に係るＳＭＤ型ＬＥＤを用いた照明装置の一実施例をオフィス什器に一時取り付けした図である。
【図５】本発明に係るＳＭＤ型ＬＥＤを用いた照明装置の一実施例を自動車の装飾照明として応用した図である。
【図６】本発明に係るＳＭＤ型ＬＥＤを用いた照明装置の別の一実施例における全体側面図を示す図である。
【発明を実施するための形態】
【００２２】
以下、図面を参照して本発明の実施形態を説明する。なお、以下では本発明の目的を達成するための説明に必要な範囲を模式的に示し、本発明の該当部分の説明に必要な範囲を主に説明することとし、説明を主略する箇所については公知技術によるものとする。
【００２３】
図１は本発明の一実施形態に係る照明装置１の概要を示す平面図であり、図２は該実施形態の側面図であり、図３は該実施形態の断面図である。同図に示すようにフレキシブル基盤２上には１ないし数列のＳＭＤ型ＬＥＤ３及び抵抗等の回路素子４及びコネクター５が実装されている。この基板２の裏面には熱伝導の良い接着剤８によってマグネットテープ７が接着されている。また、防水のために基板２の上部を透明なエポキシ樹脂のような防水コーティング材６で覆っても良い。
【００２４】
図４は、本発明の一実施形態に係る照明装置をクリスマス等の祝祭装飾の照明として応用した場合の図である。本発明による照明を一時的にオフィスのファイルキャビネットのような什器に設置すれば普段と異なった景観となる。祝祭が終われば簡単に本発明の照明装置を取り外すことができ、什器に傷や痕を残すことが無い。
【００２５】
図５は、本発明の一実施形態に係る照明装置を自動車の装飾照明として取り付けた場合の概要図である。基板上を防水コーティングした本発明の照明装置は自動車のような鉄板構成の車体への取り付けに最適で、取付部の車体カーブに沿ってフレキシブルの取り付けることができ、多少の埃や水分によって接着力が減少することは少ない。
【００２６】
図６は本発明の一実施形態に係る照明装置１０の概要を示す側面図であり、フレキシブル基板２の裏面に固形のマグネット９を間隔をあけて取り付けた図である。固形マグネット９は間隔をあけて取り付けてあるので、照明装置設置の柔軟性は保たれる。また、固形マグネット９はゴムを混ぜないため柔軟性は無いが、磁力はマグネットテープより強力で、照明装置設置はより強固となる。
【産業上の利用可能性】
【００２７】
上述してきたように、本願による発明によれば、照明対象を広く照明できる一方、照明方向を変えることにより使用環境、状況に応じた照明装置とすることができ、省エネルギーにも寄与することができる。このような照明装置は室内照明灯に限らず、前述した自動車室内灯、美術館の展示照明装置等の他分野への利用が期待できる。
【００２８】
さらに、冷凍食品や冷蔵食品の展示ケースのような水濡れの可能性のある場所での照明装置には最適であり、同様箇所への広い応用が期待できる。
【００２９】
また、照明用途はもちろんＬＥＤの高速点滅応答特性、前述の調光特性、設置の柔軟性を利用してウインドウディスプレイや方向案内照明装置として活用できる等、照明装置としてばかりでなく各種産業に対して大きな有益性をもたらすものである。
【符号の説明】
【００３０】
１…本願照明装置、２…長尺フレキシブル基板、３…ＳＭＤ型ＬＥＤ、４…ＬＥＤ駆動用回路素子、５…コネクター、６…防水コーティング、７…マグネットテープ、８…接着剤、９…固形マグネット、１０…本願照明装置の別の形態
【図１】
2012043756.tif 000003
【図２】
2012043756.tif 000004
【図３】
2012043756.tif 000005
【図４】
2012043756.tif 000006
【図５】
2012043756.tif 000007
【図６】
2012043756.tif 000008